(57)【要約】      （修正有）【課題】ループ配線の伝送において断線等の障害が生じた場合に、信号を送信する監視機器の制御部の処理負荷増大を抑えつつ、障害箇所以外の伝送を安定的に継続できる監視機器及び監視システムを得る。【解決手段】ループ配線に接続されて火災を監視する監視機器（中継器２Ａ）であって、ループ配線３０に接続される第１端子２１及び第２端子２２と、ループ配線に送信する信号を生成する制御部２０と、第２端子に接続された遅延部１６と、制御部が生成した信号を第１端子に入力する第１送信回路１２と、第１端子から入力された信号を受信する第１受信回路１３と、制御部が生成した信号を遅延部に入力する第２送信回路１４と、遅延部から入力された信号を受信する第２受信回路１５と、を備える。遅延部は、第２送信回路から入力された信号を遅延させて第２端子に入力し、かつ、第２端子から入力された信号を遅延させて第２受信回路に入力する。【選択図】図２
2020194495.tif 000002
【特許請求の範囲】
【請求項１】
ループ配線に接続されて火災を監視する監視機器であって、
前記ループ配線に接続される第１端子及び第２端子と、
前記ループ配線に送信する信号を生成する制御部と、
前記第２端子に接続された遅延部と、
前記制御部が生成した前記信号を前記第１端子に入力する第１送信回路と、
前記第１端子から入力された信号を受信する第１受信回路と、
前記制御部が生成した前記信号を前記遅延部に入力する第２送信回路と、
前記遅延部から入力された信号を受信する第２受信回路と、を備え、
前記遅延部は、
前記第２送信回路から入力された信号を遅延させて前記第２端子に入力し、かつ前記第２端子から入力された信号を遅延させて前記第２受信回路に入力する
監視機器。
【請求項２】
複数の監視機器がループ配線によって接続されて火災を監視する監視システムであって、
前記複数の監視機器のうちの１つが、
前記ループ配線に接続される第１端子及び第２端子と、
前記ループ配線に送信する信号を生成する制御部と、
前記第２端子に接続された遅延部と、
前記制御部が生成した前記信号を前記第１端子に入力する第１送信回路と、
前記第１端子から入力された信号を受信する第１受信回路と、
前記制御部が生成した前記信号を前記遅延部に入力する第２送信回路と、
前記遅延部から入力された信号を受信する第２受信回路と、を備え、
前記遅延部は、
前記第２送信回路から入力された信号を遅延させて前記第２端子に入力し、かつ前記第２端子から入力された信号を遅延させて前記第２受信回路に入力する
監視システム。
【発明の詳細な説明】
【技術分野】
【０００１】
本発明は、火災感知器等の端末機器から情報を収集して火災を監視する火災受信機又は中継器等の監視機器と、この監視機器を備えた監視システムに関する。
【背景技術】
【０００２】
火災受信機から引き出されたループ配線に中継器が接続され、この中継器に火災感知器が接続された監視システムがある（たとえば、特許文献１、２参照）。
【０００３】
特許文献１に記載のシステムは、ループ配線に親機と子機とが接続されており、親機が子機から情報を収集する場合には、親機の伝送制御部が、ループ配線の一方側から呼出符号を出力することによって、複数の子機に順にポーリングを行う。そして、ポーリングに対する応答が一定時間内に返送されてこなければ、親機の伝送制御部は、ループ配線の他方側から再び呼出符号を出力する。
【０００４】
特許文献２に記載のシステムの火災受信機は、制御部と、ループ配線の一方に接続された受信処理部と、ループ配線の他方に接続された受信処理部とを有している。この火災受信機の制御部は、一方の受信処理部に指令を出して呼出パルスをループ配線の一方側に出力する。そして、一方の受信処理部からの受信情報に基づいてループ配線での短絡又は断線障害の発生が検出されると、制御部は、他方の受信処理部を駆動してループ配線の他方側から呼出パルスを出力させる。
【先行技術文献】
【特許文献】
【０００５】
【特許文献１】特開昭５４−８３３９６号公報
【特許文献２】特開昭６２−２１３４７号公報
【発明の概要】
【発明が解決しようとする課題】
【０００６】
特許文献１及び特許文献２に記載のシステムでは、信号を送信する監視機器である受信機又は中継器の制御部は、通常はループ配線の一方から信号を出力させる。そして、ループ配線の伝送において障害が生じた場合には、制御部は、ループ配線に対して通常とは逆方向に改めて信号を出力するように構成されている。特許文献１及び特許文献２の構成によれば、伝送障害が生じた場合に、制御部は信号を出力しなおす処理を実行する必要があり、制御部の処理負荷が大きかった。
【０００７】
本発明は、上記のような課題を背景としたものであり、ループ配線の伝送において断線等の障害が生じた場合に、信号を送信する監視機器の制御部の処理負荷増大を抑えつつ、障害箇所以外の伝送を安定的に継続できる監視機器及び監視システムを提供するものである。
【課題を解決するための手段】
【０００８】
本発明に係る監視機器は、ループ配線に接続されて火災を監視する監視機器であって、前記ループ配線に接続される第１端子及び第２端子と、前記ループ配線に送信する信号を生成する制御部と、前記第２端子に接続された遅延部と、前記制御部が生成した前記信号を前記第１端子に入力する第１送信回路と、前記第１端子から入力された信号を受信する第１受信回路と、前記制御部が生成した前記信号を前記遅延部に入力する第２送信回路と、前記遅延部から入力された信号を受信する第２受信回路と、を備え、前記遅延部は、前記第２送信回路から入力された信号を遅延させて前記第２端子に入力し、かつ前記第２端子から入力された信号を遅延させて前記第２受信回路に入力するものである。
本発明に係る監視システムは、複数の監視機器がループ配線によって接続されて火災を監視する監視システムであって、前記複数の監視機器のうちの１つが、前記ループ配線に接続される第１端子及び第２端子と、前記ループ配線に送信する信号を生成する制御部と、前記第２端子に接続された遅延部と、前記制御部が生成した前記信号を前記第１端子に入力する第１送信回路と、前記第１端子から入力された信号を受信する第１受信回路と、前記制御部が生成した前記信号を前記遅延部に入力する第２送信回路と、前記遅延部から入力された信号を受信する第２受信回路と、を備え、前記遅延部は、前記第２送信回路から入力された信号を遅延させて前記第２端子に入力し、かつ前記第２端子から入力された信号を遅延させて前記第２受信回路に入力するものである。
【発明の効果】
【０００９】
本発明によれば、ループ配線の伝送において断線等の障害が生じた場合に、信号を送信する監視機器の制御部の処理負荷増大を抑えつつ、障害箇所以外の伝送を安定的に継続できる監視機器及び監視システムを提供することができる。
【図面の簡単な説明】
【００１０】
【図１】実施の形態１に係る監視システムの構成を説明する図である。
【図２】実施の形態１に係る中継器２Ａの構成を説明するブロック図である。
【図３】実施の形態１に係る遅延部１６を備えない中継器２Ｂの構成を説明するブロック図である。
【図４】実施の形態１に係る配線正常時の中継器２Ａの信号送信動作を説明する図である。
【図５】実施の形態１に係る断線発生時の中継器２Ａの信号送信動作を説明する図である。
【図６】実施の形態１に係る配線正常時に中継器２Ｂから信号が送信された場合の中継器２Ａの信号送受信動作を説明する図である。
【図７】実施の形態１に係る断線発生時に中継器２Ｂから信号が送信された場合の中継器２Ａの信号送受信動作を説明する図である。
【発明を実施するための形態】
【００１１】
以下、本発明の実施の形態を、図面を参照して説明する。本発明は、以下の実施の形態に限定されるものではなく、本発明の主旨を逸脱しない範囲で種々に変形することが可能である。また、本発明は、以下の実施の形態に示す構成のうち、組合せ可能な構成のあらゆる組合せを含むものである。また、図面に示す装置は、本発明の装置の一例を示すものであり、図面に示された装置によって本発明の装置が限定されるものではない。また、各図において、同一の符号を付したものは、同一の又はこれに相当するものであり、これは明細書の全文において共通している。
【００１２】
実施の形態１．
［監視システム１００の構成］
図１は、実施の形態１に係る監視システム１００の構成を説明する図である。監視システム１００は、複数の監視機器がループ配線３０に接続されて構成されている。本実施の形態では、監視機器として、火災受信機１と、中継器２Ａ〜２Ｅとを例示する。火災受信機１からループ配線３０が引き出されており、このループ配線３０に中継器２Ａ〜２Ｅが接続されている。中継器２Ａには、端末機器が接続されている。本実施の形態で例示する端末機器は、火災感知器３とブザー４である。図１では図示していないが、火災受信機１及び中継器２Ｂ〜２Ｅにも、中継器２Ａと同様に火災感知器３等の端末機器が接続される。監視システム１００では、火災感知器３等の端末機器から収集される情報に基づいて監視機器が監視エリアの火災等の異常を監視する。そして、端末機器が異常を検出すると、異常を検出した端末機器に接続された監視機器のいずれかがループ配線３０に火災検出の情報を出力する。ループ配線３０に出力された火災検出の情報は、情報の出力元以外の火災受信機１及び中継器２Ａ〜２Ｅにて取得される。情報を取得した中継器２Ａ〜２Ｅは、自機に接続された報知装置、防排煙装置、又は消火設備等の端末機器を動作させて、警報又は消火等を行う。
【００１３】
火災受信機１は、火災感知器３から中継器２Ａ〜２Ｅを介して火災等の異常検出の情報を取得した場合に、ブザー又はライトなどの報知装置、防火扉又はシャッターなどの防排煙装置、又は消火設備などに、信号を出力して、これらの装置を動作させる。報知装置、防排煙装置又は消火設備の制御は、メモリに記憶された連動データに基づいて実行される。火災受信機１は、ディスプレイを備えており、監視システム１００の中継器２Ａ〜２Ｅから収集された情報を表示する。
【００１４】
中継器２Ａ〜２Ｅは、火災受信機１と端末機器である火災感知器３及びブザー４との間に設置され、火災受信機１と端末機器との間で送受される信号を中継する装置である。本実施の形態の中継器２Ａ〜２Ｅは、火災受信機１と同様にメモリに連動データを記憶しており、中継器２Ａ〜２Ｅ間での端末機器の連動も可能である。
【００１５】
火災感知器３は、火災に伴う物理変化を検知すると、火災であることを示す信号を、自機に接続された中継器２Ａ〜２Ｅのいずれかに対して出力する。火災感知器３は、たとえば、熱感知器、煙感知器、又はガス感知器である。
【００１６】
ブザー４は、中継器２Ａ〜２Ｅのいずれかを介して取得する火災受信機１からの信号に基づいて、音声を出力する。
【００１７】
中継器２Ａ〜２Ｅに接続される端末機器としては、本実施の形態で示す火災感知器３とブザー４のほかに、ベル又はライトなどの報知装置、防火扉又はシャッターなどの防排煙装置、又は消火設備がある。
【００１８】
ループ配線３０は、監視機器（火災受信機１及び中継器２Ａ〜２Ｅ）を物理的にリング状に通信接続している。ループ配線３０に接続された監視機器は、トークンパッシングにより信号の送信権を取得し、送信権を取得した１台の監視機器のみがループ配線３０に信号を送信する。本実施の形態の監視機器（火災受信機１及び中継器２Ａ〜２Ｅ）のうち、１台（中継器２Ａ）は、自機に接続されたループ配線３０の一方から信号を送出し、この信号送出から遅延して、他方から信号を送出可能に構成されている。他の監視機器（火災受信機１及び中継器２Ｂ〜２Ｅ）は、自機に接続されたループ配線３０の両方に、同時に信号を送出可能に構成されている。以下、監視システム１００に１台設けられる信号の遅延機能を備えた中継器２Ａと、他の中継器２Ｂ〜２Ｅについて、通信に関わる構成を中心に説明する。
【００１９】
［監視機器の構成］
図２は、実施の形態１に係る中継器２Ａの構成を説明するブロック図である。中継器２Ａは、伝送部１０と、制御部２０と、第１端子２１と、第２端子２２とを備える。第１端子２１及び第２端子２２には、ループ配線３０が接続される。伝送部１０は、制御部２０から出力される信号を、ループ配線３０に送信するとともに、ループ配線３０からの信号を制御部２０に入力する。伝送部１０は、伝送制御部１１と、第１送信回路１２と、第１受信回路１３と、第２送信回路１４と、第２受信回路１５と、遅延部１６とを備える。
【００２０】
伝送制御部１１は、制御部２０と信号を授受可能に接続されている。伝送制御部１１は、制御部２０から伝送制御部１１へ入力された信号を、第１送信回路１２及び第２送信回路１４に伝えるとともに、第１受信回路１３又は第２受信回路１５からの信号を制御部２０に伝えるものである。本実施の形態の伝送制御部１１は、第１送信回路１２と制御部２０との間に設けられたスイッチ１１ａと、第１受信回路１３と制御部２０との間に設けられたスイッチ１１ｂと、第２送信回路１４と制御部２０との間に設けられたスイッチ１１ｃと、第２受信回路１５と制御部２０との間に設けられたスイッチ１１ｄとを備える。スイッチ１１ａ〜１１ｄは、個別にオン状態とオフ状態とが切り換えられる。スイッチ１１ａがオンすると、第１送信回路１２と制御部２０とが接続され、制御部２０から出力された信号がスイッチ１１ａを介して第１送信回路１２に伝達される。また、スイッチ１１ｄがオンすると、第２受信回路１５から出力される信号がスイッチ１１ｄを介して制御部２０に伝達される。伝送制御部１１は、これらスイッチ１１ａ〜１１ｄのオン、オフ状態を切り換えることにより、第１送信回路１２、第１受信回路１３、第２送信回路１４、第２受信回路１５と制御部２０との間で信号を授受させる。
【００２１】
信号を受信も送信もしないときには、伝送制御部１１では、スイッチ１１ａ〜１１ｄのすべてがオフ状態とされる。第１端子２１と第２端子２２の両方からの送信を予定しているときには、スイッチ１１ａ及びスイッチ１１ｃがオン状態とされる。第１端子２１のみからの送信を予定しているときには、スイッチ１１ａがオン状態、スイッチ１１ｃがオフ状態とされる。第２端子２２のみからの送信を予定しているときには、スイッチ１１ｃがオン状態、スイッチ１１ａがオフ状態とされる。第１端子２１と第２端子２２の両方からの受信を待機しているときには、スイッチ１１ｂ及びスイッチ１１ｄがオン状態とされる。第１端子２１からの受信のみを待機しているときには、スイッチ１１ｂがオン状態、スイッチ１１ｄがオフ状態とされる。第２端子２２からの受信のみを待機しているときには、スイッチ１１ｄがオン状態、スイッチ１１ｂがオフ状態とされる。以降の説明で、スイッチ１１ａ〜１１ｄの動作について明記していない場合は、上記の通り信号の送信と受信の動作に合わせて伝送制御部１１はスイッチ１１ａ〜１１ｄを動作させる。なお、通常は、ループ配線３０に接続される他の監視機器からの信号を受信できるように、第１端子２１と第２端子２２の両方からの受信を待機状態となるように、スイッチ１１ａ〜１１ｄを制御している。
【００２２】
第１送信回路１２及び第２送信回路１４は、制御部２０から出力された信号を、ループ配線３０に入力する回路である。第１送信回路１２は、第１端子２１に接続され、第１端子２１に信号を入力する。第２送信回路１４は、遅延部１６に接続され、遅延部１６を介して第２端子２２に信号を入力する。
【００２３】
第１受信回路１３及び第２受信回路１５は、ループ配線３０からの信号を受信して、受信した信号を制御部２０に送る回路である。第１受信回路１３は、第１端子２１に接続され、第１端子２１から入力される信号を受信し、受信した信号を制御部２０に送る。第２受信回路１５は、遅延部１６に接続され、遅延部１６を介して第２端子２２から入力される信号を受信して、受信した信号を制御部２０に送る。
【００２４】
遅延部１６は、入力される信号を遅延させて出力する。すなわち遅延部１６は、信号が入力されてからその信号を出力するまでに、所定時間待機する。遅延部１６が待機する所定時間を、遅延時間と称する場合がある。たとえば遅延部１６は、シフトレジスタを有し、入力された信号を所定回数シフトさせた後に出力する。あるいは遅延部１６は、シフトレジスタとタイマを有し、入力された信号をシフトレジスタに格納した状態でタイマにて時間を計測し、所定時間経過後にシフトレジスタの信号をシフトさせて出力する。遅延部１６は、第２送信回路１４から入力された信号を遅延させて第２端子２２に入力する。また遅延部１６は、第２端子２２から入力された信号を遅延させて第２受信回路１５に入力する。
【００２５】
制御部２０は、ＣＰＵ（Central Processing Unit）、メモリ及び入出力ポートを備え、ＣＰＵがメモリに記憶されたプログラムを実行することで、中継器２Ａを構成する各部を制御する。なお、制御部２０は、専用のハードウェア回路で構成されていてもよい。
【００２６】
図３は、実施の形態１に係る遅延部１６を備えない中継器２Ｂの構成を説明するブロック図である。中継器２Ｂは、伝送部１１０と、制御部１２０と、第１端子１２１と、第２端子１２２とを備える。伝送部１１０は、伝送制御部１１１と、第１送信回路１１２と、第１受信回路１１３と、第２送信回路１１４と、第２受信回路１１５とを備える。中継器２Ｂは、図２で示した中継器２Ａに設けられた遅延部１６を備えていない。遅延部１６を備えないという点以外は、中継器２Ｂは中継器２Ａと同じ構成である。伝送部１１０、制御部１２０、第１端子１２１、第２端子１２２、伝送制御部１１１、第１送信回路１１２、第１受信回路１１３、第２送信回路１１４、第２受信回路１１５は、それぞれ伝送部１０、制御部２０、第１端子２１、第２端子２２、伝送制御部１１、第１送信回路１２、第１受信回路１３、第２送信回路１４、第２受信回路１５と同じ機能を有する。中継器２Ｃ〜２Ｅは、図示しないが、中継器２Ｂと同じ構成である。また、本実施の形態では、火災受信機１も、ループ配線３０における信号の伝送に係る構成は、中継器２Ｂと同じ構成である。
【００２７】
［信号送受信の動作］
次に、本実施の形態の監視システム１００のループ配線３０における、信号送受信の動作を説明する。ここでは、遅延部１６を備えた中継器２Ａの動作を中心に説明する。監視システム１００には、遅延部１６を備えた中継器が１台（中継器２Ａ）接続されているものとする。
【００２８】
（配線正常時に遅延部１６を備えた中継器２Ａが信号を送信）
図４は、実施の形態１に係る配線正常時の中継器２Ａの信号送信動作を説明する図である。図４では、信号が流れる経路を実線で、信号が流れない経路を破線で示している。図４を参照して、ループ配線３０に断線等の異常が生じていない配線正常時に、中継器２Ａが信号を送信する動作を説明する。
【００２９】
例えば、中継器２Ａに接続された火災感知器３が火災を検出する等の他の監視機器に信号を出力する場合、制御部２０は、送信する信号を伝送制御部１１に入力する。伝送制御部１１は、図２に示したスイッチ１１ａ及びスイッチ１１ｃをオンにして、第１送信回路１２及び第２送信回路１４に、信号を送る。なお、伝送制御部１１は、第１送信回路１２及び第２送信回路１４に信号を送った後に、スイッチ１１ａ及びスイッチ１１ｃをオフにするとともにスイッチ１１ｂ及びスイッチ１１ｄをオンにして、信号の受信に備える。第１送信回路１２は、第１端子２１に信号を入力し、第１端子２１からループ配線３０へと信号が送出される。他方、第２送信回路１４は、遅延部１６に信号を入力する。遅延部１６は、入力された信号を出力せず信号を保持する。
【００３０】
遅延部１６が信号の出力を遅延させている間に、第１端子２１からループ配線３０へと送出された信号は、ループ配線３０を流れて、他の監視機器（火災受信機１、中継器２Ｅ〜２Ｂ）に伝わる。他の監視機器は、自機宛の信号であれば受信処理を行うとともに取得した信号を次のノードへ転送し、自機宛の信号でなければ次のノードへ転送する。ループ配線３０を流れる信号は、中継器２Ｂから出力されて中継器２Ａの第２端子２２へ入力される。第２端子２２へ入力された信号は、遅延部１６に入力される。遅延部１６で保持している信号と、第２端子２２から入力された信号とは同じであるため、遅延部１６は、保持している信号を破棄する。ここで、遅延部１６が信号の出力を遅延させる遅延時間は、第１端子２１から送信された信号が、ループ配線３０を通って第２端子２２に入力されるまでに要する時間よりも大きい。なお、遅延部１６による信号の破棄は、ノイズと区別するため信号の先頭に付与される情報等、信号の一部を確認できた時点で行ってもよい。
【００３１】
このように、本実施の形態によれば、配線正常時に遅延部１６を備えた中継器２Ａから送信された信号は、物理的にリング型のループ配線３０に接続された監視機器に順に送受される。中継器２Ａの制御部２０から送信が指示された信号は、第１端子２１から速やかにループ配線３０へと送信されるが、第２端子２２に接続された遅延部１６は、信号が入力されてから第２端子２２にその信号を入力するまでの間に遅延時間をおく。このため、配線正常時には、物理的にはリング型のループ配線３０を、一方向にのみ信号が流れることになる。したがって、ループ配線３０に接続された信号送信元以外の監視機器には、ループ配線３０に接続された２つの入力端子の双方から同時期に信号が入力されることがなく、同時期に信号が入力された場合に重複受信を避けるための信号処理も不要となる。
【００３２】
（断線発生時に遅延部１６を備えた中継器２Ａが信号を送信）
図５は、実施の形態１に係る断線発生時の中継器２Ａの信号送信動作を説明する図である。図５では、信号が流れる経路を実線で、信号が流れない経路を破線で示している。図５を参照して、ループ配線３０の中継器２Ｅと中継器２Ｄとの間で断線が生じているときに、中継器２Ａが信号を送信する動作を説明する。
【００３３】
制御部２０からの信号に基づいて、第１送信回路１２が第１端子２１に信号を入力するとともに、第２送信回路１４が遅延部１６に信号を入力するまでの動作は、図４で説明した通りである。ループ配線３０に断線が発生している場合、第１端子２１からループ配線３０へと送られた信号の伝達は、断線箇所で途切れる。中継器２Ｅと中継器２Ｄとの間で断線している場合には、第１端子２１から送られた信号は、中継器２Ｄ、２Ｃ、２Ｂには到達しない。したがって、中継器２Ａの第２端子２２へ信号が戻ってこない。
【００３４】
遅延部１６の信号出力の遅延時間が経過すると、遅延部１６は、保持していた信号を第２端子２２に入力する。これにより、ループ配線３０へ信号が送出され、中継器２Ｂ、２Ｃ、２Ｄに信号が送られる。第２端子２２からループ配線３０へと送られた信号の伝達は、断線箇所で途切れ、中継器２Ｅ及び火災受信機１には到達しないが、中継器２Ｅ及び火災受信機１は第１端子２１から送られた同内容の信号を取得している。なお、遅延部１６が保持していた信号を第２端子２２に入力した時点で、制御部２０はループ配線３０に断線が生じていると判断し、火災受信機１にループ配線３０の断線を通知して、異常警報を行うことができる。
【００３５】
このように、本実施の形態によれば、ループ配線３０に断線が発生している場合でも、火災受信機１及び中継器２Ｂ〜２Ｅは、中継器２Ａが送信した信号を受信することができる。中継器２Ａの制御部２０は、送信したい信号を一度出力するだけでよく、断線が判明した後に制御部２０が改めて信号送信のための再送処理を行う必要がない。したがって本実施の形態によれば、ループ配線３０に断線等の異常が発生している場合でも、制御部２０の処理負荷を増大させることなく、ループ配線３０に接続された監視機器に安定的に信号を送信することができる。また、制御部２０による再送処理を行う時間も不要となる。
【００３６】
（配線正常時に遅延部１６を備えない中継器２Ｂが信号を送信）
図６は、実施の形態１に係る配線正常時に中継器２Ｂから信号が送信された場合の中継器２Ａの信号送受信動作を説明する図である。図６では、信号が流れる経路を実線で、信号が流れない経路を破線で示している。図６を参照して、ループ配線３０に断線等の異常が生じていない配線正常時に、遅延部１６を備えない中継器２Ｂが信号を送信した場合の、中継器２Ａの信号送受信動作を説明する。
【００３７】
中継器２Ｂの制御部１２０（図３参照）は、伝送制御部１１１を介して第１端子１２１と第２端子１２２の両方へ信号を入力することにより、ループ配線３０に信号を送信する。第１端子１２１と第２端子１２２からループ配線３０へ、ほぼ同時に同じ信号が送信されることになる。ループ配線３０を伝わる信号は、中継器２Ａに到達する。
【００３８】
中継器２Ｂから送信された信号が、中継器２Ａの第１端子２１よりも先に第２端子２２に入力されると、遅延部１６に信号が入力される。遅延部１６は、入力された信号の第２受信回路１５への出力を所定の遅延時間待機する。この遅延時間の間に、第１端子２１に信号が入力され、第１受信回路１３にて信号が受信され、受信された信号は伝送制御部１１に送られる。伝送制御部１１は、取得した信号を、制御部２０に送るとともに、第２送信回路１４に送る。第２送信回路１４は、入力された信号をループ配線３０に送信すべく、遅延部１６に入力する。遅延部１６は、第２端子２２から入力された信号を保持しているが、この保持している信号と第２送信回路１４から入力された信号は同じであるので、保持している信号を破棄する。
【００３９】
また、中継器２Ｂから送信された信号が、中継器２Ａの第２端子２２よりも先に第１端子２１に入力されると、第１受信回路１３は信号を受信し、受信した信号は伝送制御部１１に送られる。伝送制御部１１は、取得した信号を、制御部２０に送るとともに、第２送信回路１４に送る。第２送信回路１４は、入力された信号をループ配線３０に転送すべく、遅延部１６に入力する。第２送信回路１４から遅延部１６に信号が入力された場合の中継器２Ａの動作は、図４及び図５にて説明したとおりであり、遅延時間経過後に第２端子２２からループ配線３０へと信号が送出される。
【００４０】
このように、本実施の形態では、配線正常時に遅延部１６を備えない中継器２Ｂからは第１端子１２１と第２端子１２２の双方に同時期に信号が入力され、物理的にリング型のループ配線３０に接続された監視機器に順に信号が送受される。そして、監視システム１００に１台存在する遅延部１６を備えた中継器２Ａでは、第１端子２１から入力された信号は速やかに受信処理されるが、第２端子２２から入力された信号は遅延部１６にて遅延時間の間保持される。そして、第１端子２１から入力された信号と遅延部１６で保持する信号とが重複している場合には、遅延部１６で保持された信号を破棄して、遅延部１６で保持していた信号を他の監視装置に転送しない。このため、配線正常時には、物理的にはリング型のループ配線３０に接続された監視機器のうち、遅延部１６を備えない監視機器（火災受信機１、中継器２Ｂ〜２Ｅ）のうち、信号の送信元である監視機器以外には、ループ配線３０に接続された２つの入力端子の双方から同時期に信号が入力されることがない。したがって、遅延部１６を備えない監視機器（火災受信機１、中継器２Ｂ〜２Ｅ）は、同時期に信号が入力された場合に重複受信を避けるための信号処理も不要となる。
【００４１】
（断線発生時に遅延部１６を備えない中継器２Ｂが信号を送信）
図７は、実施の形態１に係る断線発生時に中継器２Ｂから信号が送信された場合の中継器２Ａの信号送受信動作を説明する図である。図７では、信号が流れる経路を実線で、信号が流れない経路を破線で示している。ここでは、ループ配線３０の中継器２Ｅと中継器２Ｄとの間で断線が生じているときに、中継器２Ｂが信号を送信した場合の、中継器２Ａの信号送受信動作を説明する。
【００４２】
中継器２Ｂの制御部１２０（図３参照）は、伝送制御部１１１を介して第１端子１２１と第２端子１２２の両方へ信号を入力することにより、ループ配線３０に信号を送信する。第１端子１２１と第２端子１２２からループ配線３０へ、ほぼ同時に同じ信号が送信されることになる。
【００４３】
中継器２Ｂから送信された信号は、中継器２Ａの第２端子２２を介して遅延部１６に入力される。遅延部１６は、入力された信号の出力を所定の遅延時間待機する。中継器２Ｄと中継器２Ｅとの間で断線が生じているため、ループ配線３０から中継器２Ａの第１端子２１へは信号が入力されない。遅延時間が経過すると、遅延部１６は、信号を第２受信回路１５に入力する。第２受信回路１５は入力された信号を受信して、受信した信号を伝送制御部１１に送る。伝送制御部１１は、取得した信号を、制御部２０に送るとともに第１送信回路１２に入力する。第１送信回路１２は、入力された信号を第１端子２１に入力する。第１端子２１からループ配線３０へと送られた信号は、火災受信機１及び中継器２Ｅによって受信される。
【００４４】
このように、本実施の形態によれば、ループ配線３０に断線が生じている状態で、遅延部１６を備えない監視機器である中継器２Ｂが送信した信号を、他の監視機器（火災受信機１、中継器２Ａ、２Ｃ〜２Ｅ）にて受信することができる。
【００４５】
なお、本実施の形態では、火災受信機１と中継器２Ａ〜２Ｅが火災検出時の連動動作を行ういわゆる分散型の監視システムを例に、遅延部を備えた監視機器を説明した。この遅延部を備えた監視機器は、火災受信機のみが連動動作を行ういわゆる集中型の監視システムに適用することもできる。集中型の監視システムにおいては、実施の形態で説明した遅延部は、火災受信機に設けられるとよい。また、複数の火災受信機を接続した監視システムに適用することもできる。
【符号の説明】
【００４６】
１  火災受信機、２Ａ  中継器、２Ｂ  中継器、２Ｃ  中継器、２Ｄ  中継器、２Ｅ  中継器、３  火災感知器、４  ブザー、１０  伝送部、１１  伝送制御部、１１ａ  スイッチ、１１ｂ  スイッチ、１１ｃ  スイッチ、１１ｄ  スイッチ、１２  第１送信回路、１３  第１受信回路、１４  第２送信回路、１５  第２受信回路、１６  遅延部、２０  制御部、２１  第１端子、２２  第２端子、３０  ループ配線、１００  監視システム、１１０  伝送部、１１１  伝送制御部、１１２  第１送信回路、１１３  第１受信回路、１１４  第２送信回路、１１５  第２受信回路、１２０  制御部、１２１  第１端子、１２２  第２端子。
【図１】
2020194495.tif 000003
【図２】
2020194495.tif 000004
【図３】
2020194495.tif 000005
【図４】
2020194495.tif 000006
【図５】
2020194495.tif 000007
【図６】
2020194495.tif 000008
【図７】
2020194495.tif 000009